(57)【特許請求の範囲】
【請求項１】
記憶媒体を挿入する挿入口を有し、前記記憶媒体を収納して電子情報を再生する本体と、
前記本体の挿入口を閉塞するように装着され、前記挿入口の上部に回動可能に支持されるとともに前記挿入口の上辺を軸にして下端部が回動することにより前記挿入口を開閉して前記記憶媒体を出し入れする以外は常に前記挿入口を閉塞するリッド部材とを備え、
前記挿入口の内部で下面が前記リッド部材の回動する下端部と所定の隙間を有して上部方向に傾斜面を形成して突出する段差を設け、この段差は滑らかに屈曲した曲面状に前記傾斜面を形成して前記記憶媒体の挿入動作を案内するとともに前記挿入口と前記リッド部材との隙間から前記本体内部が露出して埃が入り込まないように所定の高さに突出させて前記リッド部材の下端部とオーバーラップさせることを特徴とするカセットの挿入口構造。
【請求項２】
請求項１に記載のカセットの挿入口構造において、
前記本体はＭＤ音響装置であるとともに、前記記憶媒体はＭＤであることを特徴とするカセットの挿入口構造。
【発明の詳細な説明】
【０００１】
【発明の属する技術分野】
本発明は、カセットの挿入口構造に係り、より詳細には再生装置に形成された、記憶媒体を挿入するカセットの挿入口構造に関する。
【０００２】
【従来の技術】
従来、記憶媒体から電子情報を読み取り再生する再生装置では、装置内部に埃などの物質が入り込んで内部部品に付着することにより、この内部部品の動作に悪影響を与えてしまうことがあった。特に、ＭＤ、ＣＤなどの光ディスクから電子情報を再生する再生装置は、内部にピックアップなどの光学部品が配置されており、高い精度を必要とする。従って、このような再生装置は、常に内部が密閉状態にあり、埃などの物質が入り込まないように防塵状態にあることが好ましい。
しかし、再生装置の所定面には、記憶媒体を挿入するための挿入口を設けなければならない。そこで、このような挿入口には、再生装置の内部に直接埃が入り込んで内部部品に悪影響を与えないように、閉塞するリッド（蓋体）が装着されている。このリッドは、再生装置の挿入口の上部に回動可能に支持されて、この上辺を軸にして下端部が再生装置の内側に回動することで挿入口を開閉するカセットの挿入口構造を備えている。
このように再生装置は、記憶媒体を出し入れする際に、容易に挿入口を開閉できるとともに、それ以外の場合には常に挿入口を閉塞して防塵状態を保持するカセットの挿入口構造が要求される。
【０００３】
図３は、このような従来のカセットの挿入口構造を採用したＭＤ再生装置を示す斜視図である。また、図４は、図３に示したＦ−Ｆ線の断面を示す断面図である。また、図５は、図４に示した矢印Ｇ方向から見た挿入口３０ａを示す正面図である。
図３に示すように、従来のカセットの挿入口構造を採用したＭＤ再生装置は、ＭＤ１を内部に収納して電子情報を再生する本体２０と、この本体２０の所定面に装着するとともにＭＤ１を挿入する挿入口３０ａを設けたフロントケース３０と、このフロントケース３０の挿入口３０ａに開閉可能に装着されたリッド３２とを備えている。
【０００４】
ここで、本体２０は、内部にピックアップ等の内部部品（図示せず）が配設されており、フロントケース３０の挿入口３０ａから挿入されたＭＤ１を収納して電子情報を再生するように構成されている。
また、フロントケース３０は、ＭＤ１が挿入される本体２０の所定面に装着され、このＭＤ１を挿入するために矩形状に開口した挿入口３０ａを設けてある。この挿入口３０ａには、挿入口３０ａを閉塞するようにリッド３２が装着されている。
リッド３２は、薄板状で矩形に形成されて本体２０の挿入口３０ａの上部に回動可能に支持されており、この挿入口３０ａの上辺を軸にして下端部が回動することにより挿入口３０ａを開閉するように枢支されている。
【０００５】
ここで、フロントケース３０の挿入口３０ａには、図４に示すように、表面から本体２０内に延在する上面３０ｂおよび下面３０ｃからなる周壁を設けてある。またリッド３２は、フロントケース３０の挿入口３０ａ表面から図４に示した間隔Ｈの位置に支点３２ａを設けて支持されている。
この際、フロントケース３０の上面３０ｂは、表面からリッド３２の支点３２ａ近傍まで延在するように形成されている。これによりフロントケース３０の上面３０ｂは、挿入口３０ａから入り込んだ埃などの物質が内部に入り込まない防塵構造になっている。
また、フロントケース３０の下面３０ｃは、フロントケース３０の表面からリッド３２の下端部３２ｂを介してさらに内部に延在している。この下面３０ｃは、リッド３２が支点３２ａを中心として回転する回転動作に悪影響を与えないように、リッド３２の下端部３２ｂから所定の隙間Ｉが設けられている。この隙間Ｉは、図５に示すようにフロントケース３０の挿入口３０ａから埃などが入り込まないように最小にすることが好ましい。
【０００６】
再び図４を参照して、下面３０ｃは、フロントケース３０の表面から先端部が本体２０の内部に設けた内部部品（図示せず）まで延在しており、挿入されたＭＤ１の案内の役割をしている。
また、下面３０ｃは、フロントケース３０の表面からリッド３２の下端部３２ｂまでの間隔Ｈにおいて、下部に傾斜させて挿入口３０ａの開口面積を広く設けてある。これにより挿入口３０ａは、ＭＤ１を挿入する際に容易に挿入できるように形成されている。
【０００７】
このような構成からなる従来のカセットの挿入口構造を採用したＭＤ再生装置にＭＤを収納する場合、まず、ＭＤ１を図４に示した矢印Ｇの方向に移動させてフロントケース３０の挿入口３０ａに挿入する。この際、ＭＤ１は、フロントケース３０の表面からリッド３２までの間隔Ｈの間で下面３０ｃおよび上面３０ｂからなる周壁により案内され、先端がリッド３２に当接する。
ＭＤ１の先端がリッド３２に当接すると、リッド３２が支点３２ａを中心として回動することで下端部３２ｂが円弧状に動作して上部に上昇する。
またＭＤ１は、挿入口３０ａからさらなる押圧によりリッド３２を回動させて本体の内部に移動する。本体内に移動したＭＤ１は、本体の内部に配設した内部部品と当接することにより、この内部部品がＭＤ１を保持して本体の内部に収納させる。またＭＤ１が本体内部に収納されると、リッド３２はＭＤ１から離れて再び下端部３２ｂが支点３２ａを中心として円弧状に回動して図４に示した状態に戻る。
【０００８】
このようにＭＤ再生装置は、ＭＤ１を出し入れする以外には常にリッド３２が図４に示した閉塞状態に位置するため、内部に埃などの物質が容易に入り込むことを防止できる。従って、従来のカセットの挿入口構造は、挿入口に回動可能にリッドを設けてＭＤ１を出し入れを可能にし、それ以外では閉塞状態に維持することで、埃などの物質により本体内部の内部部品に悪影響を与えないように形成されていた。
【０００９】
【発明が解決しようとする課題】
しかしながら、従来のカセットの挿入口構造では、図４に示したようにリッド３２を支点３２ａを中心として円滑に回動させるために、リッド３２の下端部３２ｂと下面３０ｃとの間の隙間Ｉに１ｍｍ程度のクリアランスを必要とするため、図５に示したようにリッド３２が横方向の幅があり、隙間Ｉから内部が露出してしまうとともに、埃などの物質が容易に入り込んでしまう不具合があった。
【００１０】
また、従来のカセットの挿入口構造では、図４に示した挿入口３０ａの上面３０ｂから下面３０ｃまでの開口高さが低いと隙間Ｉが狭くなりリッド３２の回転動作に影響を与えてしまい、開口高さが高いと挿入口３０ａ（リッド付近）でＭＤ１のガタが大きくなり本体内の内部部品にうまく挿入されなくなる。従って、挿入口３０ａは、構造が制限され、一定の精度を必要とする不具合があった。これと同様に、リッド３２の支点３２ａから下端部３２ｂまで長さは、挿入口３０ａの開口高さと隙間Ｉとを考慮して形成する必要があり、一定の精度が必要になるため、構造上、デザイン上制約され、製造コストも増加するという不具合があった。
【００１１】
本発明はこのような課題を解決し、記憶媒体を挿入する挿入口から本体内部の露出を防止でき、防塵構造を備えた挿入口を容易に形成できるカセットの挿入口構造を提供することを目的とする。
【００１２】
【課題を解決するための手段】
本発明は上述の課題を解決するために、記憶媒体を挿入する挿入口を有して記憶媒体を収納して電子情報を再生する本体と、この本体の挿入口を閉塞するように装着されて挿入口の上部に回動可能に支持されるとともに挿入口の上辺を軸にして下端部が回動することにより挿入口を開閉して記憶媒体を出し入れする以外は常に挿入口を閉塞するリッド部材とを備え、挿入口の内部で下面がリッド部材の回動する下端部と所定の隙間を有して上部方向に傾斜面を形成して突出する段差を設け、この段差は滑らかに屈曲した曲面状に傾斜面を形成して記憶媒体の挿入動作を案内するとともに挿入口とリッド部材との隙間から本体内部が露出して埃が入り込まないように所定の高さに突出させてリッド部材の下端部とオーバーラップさせる。
ここで、本体はＭＤ音響装置であるとともに、記憶媒体はＭＤであることが好ましい。
【００１３】
【発明の実施の形態】
次に添付図面を参照して本発明によるカセットの挿入口構造の実施の形態を詳細に説明する。図１は、本発明によるカセットの挿入口構造を採用したＭＤ再生装置の実施の形態を示す断面図である。また、図２は、図１に示した矢印Ａ方向から見た挿入口１０ａを示す正面図である。
【００１４】
図１に示すように、本発明によるカセットの挿入口構造を採用したＭＤ再生装置は、図３に示した従来技術の装置と同様に、ＭＤ１を内部に収納して電子情報を再生する本体を設けてある。この本体の内部には、ＭＤ１を収納して電子情報を再生するピックアップ等の内部部品が複数配設されている。
また、本体の所定面には、ＭＤ１を挿入するために矩形状に開口した挿入口１０ａを備えたフロントケース１０が装着されている。また、フロントケース１０の挿入口１０ａには、リッド１２が開閉可能に装着されている。
【００１５】
ここで、リッド１２は、薄板で矩形状に形成され，フロントケース１０の挿入口１０ａ内部に設けた支点１２ａに支持されており、この支点１２ａを軸にして下端部１２ｂが回動するように枢支されている。またリッド１２の支点１２ａは、フロントケース１０の外側表面から図１に示した間隔Ｂの位置に設けてリッド１２を支持している。
【００１６】
また、フロントケース１０は、挿入口１０ａの表面から本体内に延在する上面１０ｂおよび下面１０ｃからなる周壁を備えている。このフロントケース１０の上面１０ｂは、表面からリッド１２の支点１２ａ近傍まで延在している。このように挿入口１０ａは、上面１０ｂから埃などの物質が内部に入り込まない防塵構造を備えている。
【００１７】
また、フロントケース１０の下面１０ｃは、フロントケース１０の表面からリッド１２の下端部１２ｂを介して、さらに内部に延在している。この下面１０ｃは、リッド１２が支点１２ａを中心として回転する回転動作に悪影響を与えないように、リッド１２の下端部１２ｂから図１に示した所定の隙間Ｃを設けている。また下面１０ｃは、リッド１２内部で下端部１２ｂの近傍から上部方向に滑らかに屈曲する傾斜面１０ｄを備えて上部に突出する段差を備えている。この傾斜面１０ｄは、リッド１２が支点１２ａを中心として円弧状に回動する下端部１２ｂと常に所定の隙間Ｃを保持するように傾斜させている。また、傾斜面１０ｄの表面は、挿入口から挿入されたＭＤ１が傾斜面１０ｄに沿って滑るように収納させる案内の役割をしており、滑らかに屈曲する曲面を形成している。
【００１８】
また、傾斜面１０ｄを備えて突出した段差の上部は、リッド１２の下端部１２ｂから上部に図１に示した所定の間隔Ｄの位置までオーバーラップしている。このオーバーラップした間隔Ｄは、図２に示すように、フロントケース１０の下面１０ｃとリッド１２の下端部１２ｂとの間に設けた隙間Ｃ（図１参照）から内部の露出を防止するとともに、容易に埃などの物質が本体内部に入り込まない防塵の役割をしている。
また、フロントケース１０の下面１０ｃは、図１に示したリッド１２の支点１２ａから下端部１２ｂまでの高さを長く設定した場合、傾斜面１０ｄを備えて突出するオーバーラップの間隔Ｄを調節することで図１に示した挿入口１０ａの間隔Ｅを常に一定に保持できるため、挿入口１０ａでのＭＤ１のガタを防止することができる。
【００１９】
このように、フロントケース１０の下面１０ｃは、リッド１２の内部で間隔Ｄの高さに傾斜面１０ｄを備えてオーバーラップした突形状を形成することで、間隔Ｅを常に一定に保持してＭＤ１を本体の内部に配設した内部部品（図示せず）まで容易に挿入できるように形成している。
【００２０】
このような構成からなる本発明によるカセットの挿入口構造を採用したＭＤ再生装置にＭＤを収納する場合、まず、ＭＤ１を図１に示した矢印Ａの方向に移動させてフロントケース１０の挿入口１０ａに挿入する。この際、ＭＤ１は、挿入口１０ａの下面１０ｃおよび上面１０ｂからなる周壁に沿って案内され、先端がリッド１２に当接する。
【００２１】
ＭＤ１の先端がリッド１２に当接すると、リッド１２が支点１２ａを中心として回動することで下端部１２ｂが円弧状に回動して上部に上昇する。この際、下端部１２ｂは、下面１２ｂの傾斜部１２ｂと所定の隙間Ｃを保持して回動する。そしてリッド１２が支点１２ａを中心として回動すると、ＭＤ１の先端が本体の内部に移動して傾斜面１０ｄに当接する。
また、ＭＤ１は、傾斜面１０ｄに当接すると、この傾斜面１０ｄに沿って滑るように本体の内部に挿入される。
【００２２】
本体内に挿入されたＭＤ１は、さらなる押圧により本体の内部に配設した内部部品まで移動する。これによりＭＤ１は、内部部品により保持されて本体内部に収納される。
ＭＤ１が本体内部に収納されると、再びリッド１２の下端部１２ｂが支点１２ａを中心として円弧状に動作して図１に示した状態に戻る。
【００２３】
このように挿入口１０ａでは、ＭＤ１を出し入れする以外はリッド１２が常に挿入口１０ａを閉塞した状態にあり、この閉塞状態ではフロントケース１０の傾斜面１０ｄがリッド１２の下端部１２ｂとオーバラップする間隔Ｄを設けることで内部の露出および埃などが入り込むことを防止している。
【００２４】
以上、本発明によってなされたカセットの挿入口構造の実施の形態を詳細に説明したが、本発明は前述の実施の形態に限定されるものではなく、その要旨を逸脱しない範囲で変更可能である。
例えば、光ディスクを再生するＭＤ音響装置に採用した実施の形態を説明したが、これに限定されるものではなく、磁気テープを利用したカセットまたはビデオ再生装置にも適用可能である。
【００２５】
【発明の効果】
このように、本発明によるカセットの挿入口構造によれば、本体の挿入口と下面との間に所定の隙間を有してリッド部材を装着するとともに挿入口の内部で下面が傾斜面を備えて突出するオバーラップ部を設けているため、リッド部材の回動を妨げることなく、本体内部の露出および埃などの物質が入り込むことを防止できる。
また、リッド部材の高さを大きく設定しても、挿入口の下面から突出するオバーラップ量を調節することで記憶媒体のガタを防止できる挿入口構造を維持できるため、ＭＤ挿入口の構造上、またはデザイン上の制約が減少し、製造コストも削減する。
【図面の簡単な説明】
【図１】本発明によるカセットの挿入口構造を採用したＭＤ音響装置の実施の形態を示す断面図。
【図２】図１に示した矢印Ａ方向から見た挿入口を示す正面図。
【図３】従来のカセットの挿入口構造を採用したＭＤ音響装置を示す斜視図。
【図４】図３に示したＦ−Ｆ線の断面を示す断面図。
【図５】図４に示した矢印Ｇ方向から見た挿入口を示す正面図。
【符号の説明】
１    ＭＤ
１０    フロントケース
１０ａ  挿入口
１０ｂ  上面
１０ｃ  下面
１０ｄ  傾斜面
１２    リッド
１２ａ  支点
１２ｂ  下端部
【図１】
0003552535.tif 000002
【図２】
0003552535.tif 000003
【図３】
0003552535.tif 000004
【図４】
0003552535.tif 000005
【図５】
0003552535.tif 000006